【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
遊技球が流下する遊技領域と、
遊技球を前記遊技領域の上部へと打ち込むための遊技球発射手段と、
前記遊技領域に設けられ、前記遊技球が入賞可能な始動口と、
前記遊技領域に設けられ、遊技球が入賞可能な開放状態と、遊技球が入賞困難な閉鎖状態とに切り替わり、通常は前記閉鎖状態に保持されている大入賞口と、
前記始動口への遊技球の入賞を起因にして、前記大入賞口を開放状態にする大当り遊技を行うか否かの大当り当否判定を含んだ始動口入賞判定を行う始動口入賞判定手段とを備えた遊技機において、
前記遊技領域の上部に打ち込まれた遊技球を前記遊技領域の左右何れか一方寄りの第１流下領域か、他方寄りの第２流下領域の何れかに分けて流下させる流下規制枠壁と、
前記第２流下領域に配置されたゲート構造をなし、遊技球の通過に応じて遊技者に有利な遊技状態へ移行可能な始動ゲートと、
前記第２流下領域に配置された前記始動口としての第１始動口と、
前記第１流下領域より前記第２流下領域を流下する遊技球の方が入賞し易くかつ前記第１始動口より下流側となる位置に前記始動口として設けられ、前記第１始動口に入賞した場合より遊技者にとって有利となるように前記始動口入賞判定手段による前記始動口入賞判定が行われると共に前記始動ゲートより下流側に配置される第２始動口と、を備え、
前記第２流下領域を流下する遊技球の全てが通過するように前記第２流下領域の上端部に配置された共通通過路と、
前記共通通過路から二股に分岐しかつ下端同士が合流した第１分岐路及び第２分岐路と、
前記第１分岐路の途中に、遊技球が転落するか横切って通過する転落口とを設け、
前記始動ゲートは、前記第１分岐路及び前記第２分岐路の下端同士の合流部のうち前記第１分岐路より前記第２分岐路の下端から排出された遊技球の方が入球し易い位置に配置されると共に、
前記第１始動口は、前記転落口に転落した遊技球を受け入れ可能な位置に配置されたことを特徴とする遊技機。
【請求項２】
前記転落口には、前記転落口を塞ぐ閉状態と、前記転落口を開放する開状態とに切り替わるスライド板が備えられている請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技球を遊技領域の上部へと打ち込むための遊技球発射手段と、遊技領域に設けられ、遊技球が入賞可能な始動口と、遊技領域に設けられ、遊技球が入賞可能な開放状態と、遊技球が入賞困難な閉鎖状態とに切り替わり、通常は閉鎖状態に保持されている大入賞口と、始動口への遊技球の入賞を起因にして、大入賞口を開放状態にする大当り遊技を行うか否かの大当り当否判定を含んだ始動口入賞判定を行う始動口入賞判定手段とを備えた遊技機において、遊技領域の上部に打ち込まれた遊技球を遊技領域の左右何れか一方寄りの第１流下領域か、他方寄りの第２流下領域の何れかに分けて流下させる流下規制枠壁と、第２流下領域に配置されたゲート構造をなし、遊技球の通過に応じて遊技者に有利な遊技状態へ移行可能な始動ゲートと、第２流下領域に配置された始動口としての第１始動口と、第１流下領域より第２流下領域を流下する遊技球の方が入賞し易くかつ第１始動口より下流側となる位置に始動口として設けられ、第１始動口に入賞した場合より遊技者にとって有利となるように始動口入賞判定手段による始動口入賞判定が行われると共に始動ゲートより下流側に配置される第２始動口と、を備え、第２流下領域を流下する遊技球の全てが通過するように第２流下領域の上端部に配置された共通通過路と、共通通過路から二股に分岐しかつ下端同士が合流した第１分岐路及び第２分岐路と、第１分岐路の途中に、遊技球が転落するか横切って通過する転落口とを設け、始動ゲートは、第１分岐路及び第２分岐路の下端同士の合流部のうち第１分岐路より第２分岐路の下端から排出された遊技球の方が入球し易い位置に配置されると共に、第１始動口は、転落口に転落した遊技球を受け入れ可能な位置に配置されたところに特徴を有する。
【手続補正３】
【補正対象書類名】明細書
【補正対象項目名】０００７
【補正方法】変更
【補正の内容】
【０００７】
請求項２の発明は、請求項１に記載の遊技機において、前記転落口には、前記転落口を塞ぐ閉状態と、前記転落口を開放する開状態とに切り替わるスライド板が備えられているところに特徴を有する。
【手続補正４】
【補正対象書類名】明細書
【補正対象項目名】０００８
【補正方法】削除
【補正の内容】
【手続補正５】
【補正対象書類名】明細書
【補正対象項目名】００１１
【補正方法】変更
【補正の内容】
【００１１】
また、第２始動口と始動ゲートを狙うワクワク感と共に、それらの上流側の第１始動口に遊技球が入賞してしまわないかというドキドキ感を抱かせることが可能となる。
【手続補正６】
【補正対象書類名】明細書
【補正対象項目名】００１２
【補正方法】変更
【補正の内容】
【００１２】
また、共通通過路から第２分岐路へと振り分けられた遊技球が、第１始動口に向かうことなく始動ゲート又は第２始動口に向かうのに対し、共通通過路から第１分岐路へと振り分けられた遊技球の一部が、第１始動口に入賞するようにし、残りを第１分岐路と第２分岐路の下端同士の合流部から始動ゲート又は第２始動口に向かわせることが可能となる。これにより、共通通過路から第２分岐路に振り分けられるか否かのドキドキ感と、第１分岐路の途中で転落口に転落するか否かのドキドキ感を遊技者に与えることが可能となる。
【手続補正７】
【補正対象書類名】明細書
【補正対象項目名】００３２
【補正方法】変更
【補正の内容】
【００３２】
＜右側流下領域Ｒｂの流下経路について＞
右側流下領域Ｒｂの上部には、その右側流下領域Ｒｂを流下する遊技球の全てが通過する共通基幹経路５０が設けられている。共通基幹経路５０は、遊技球が１つだけ通過可能な幅をなして上下方向に延び、その共通基幹経路５０の下端部に、第１基幹流下経路５１と第２基幹流下経路５２とが二股状に連絡されている。第２基幹流下経路５２は、第１基幹流下経路５１との分岐部から遊技領域Ｒの外縁部に沿って下方に延びており、その下端部の排出口５２Ｂが、始動ゲート３０に向かって左斜め下方に開放している。また、第２基幹流下経路５２は、遊技球をサイド始動口３２Ａに入賞させないように案内して、始動ゲート３０や、その下流側に配置された特別始動口３３Ａ、第１及び第２のアタッカー口３４Ａ，３５Ａに向かわせる。
【手続補正８】
【補正対象書類名】明細書
【補正対象項目名】００３６
【補正方法】変更
【補正の内容】
【００３６】
図４に示すように、第１基幹流下経路５１は、第２基幹流下経路５２との分岐部から、第２基幹流下経路５２よりも大きく左右に蛇行しながら下方に向かって延びており、遊技球が通過する通過時間が、第２基幹流下経路５２よりも長くなるように構成されている。第１基幹流下経路５１の下流側には、サイド始動口３２Ａ、特別始動口３３Ａ、始動ゲート３０等が設けられている。
【手続補正９】
【補正対象書類名】明細書
【補正対象項目名】００５３
【補正方法】変更
【補正の内容】
【００５３】
【表１】
2015144971.tif 000001